(57)【要約】【課題】水栓蛇口１に直結するコンパクトで使い勝手のよい水処理装置２を提供する。【解決手段】水処理装置２は、水栓蛇口１に直結される接続口２１と、接続口２１より供給された原水を吐水する原水出口２２と、接続口２１より供給された原水をろ過するろ過部と、ろ過部でろ過された浄水を管を通じて別体機器４に供給するための第１の管接続部２３と、原水出口２２、または第１の管接続部２３に内部水路を切り換える水路切り換え機構２４とを備える。【選択図】図１
2013063401.tif 000002
【特許請求の範囲】
【請求項１】
水栓蛇口に直結される接続口と、
前記接続口より供給された原水を吐水する原水出口と、
前記接続口より供給された原水をろ過するろ過部と、
前記ろ過部でろ過された浄水を管を通じて別体機器に供給するための第１の管接続部と、
前記原水出口、または前記第１の管接続部に内部水路を切り換える水路切り換え機構と、
を備えることを特徴とする水処理装置。
【請求項２】
前記ろ過部でろ過された浄水を吐水する浄水出口を備え、
前記水路切り換え機構は、前記原水出口、前記浄水出口、または前記第１の管接続部に内部水路を切り換えることを特徴とする請求項１記載の水処理装置。
【請求項３】
前記別体機器で水処理された水を管を通じて流入させるための第２の管接続部と、
前記第２の管接続部より供給された処理水を吐水する処理水出口と、
を備えることを特徴とする請求項１記載の水処理装置。
【請求項４】
前記別体機器は、電解水を生成する電解水整水器であることを特徴とする請求項１から３のいずれか一項に記載の水処理装置。
【請求項５】
前記電解水整水器は、抗菌手段を搭載した電解槽を内蔵していることを特徴とする請求項４記載の水処理装置。
【請求項６】
前記浄水出口と前記第１の管接続部のうち使用しない方にキャップを取り付けられる構造を備えることを特徴とする請求項２記載の水処理装置。
【請求項７】
前記浄水出口の向きが略鉛直方向から略水平方向まで回転する回転機構を備え、前記浄水出口が略水平方向に向いた状態では前記第１の管接続部として機能することを特徴とする請求項２記載の水処理装置。
【請求項８】
前記別体機器を制御する制御装置が前記水処理装置の本体に内蔵されていることを特徴とする請求項１記載の水処理装置。
【請求項９】
前記別体機器を制御する制御装置が外付けで前記水処理装置の本体に取り付けられていることを特徴とする請求項１記載の水処理装置。
【請求項１０】
前記別体機器を制御する制御装置が外付けで前記第１の管接続部に取り付けられていることを特徴とする請求項１記載の水処理装置。
【発明の詳細な説明】
【技術分野】
【０００１】
本発明は、水道水等の原水に浄化処理や電解処理を施すことによって清浄な処理水を得ることができる水処理装置に関する。
【背景技術】
【０００２】
一般的に、水栓蛇口に直結される水処理装置では、用途により原水と浄水の使い分けが可能である。すなわち、水栓蛇口から供給された原水をそのまま流出する水路と、原水をろ材に供給する水路とに切り換え弁で切り換え可能となっている。特許文献１に開示されている水処理装置によると、原水と浄水をそれぞれ独立した流出口から流出させることができる。
【先行技術文献】
【特許文献】
【０００３】
【特許文献１】特許第３３７９５２８号公報
【発明の概要】
【発明が解決しようとする課題】
【０００４】
ところで、水栓蛇口に直結される水処理装置の主な機能は、原水に含まれる濁りや塩素成分あるいは化学物質の除去である。水を電解するには浄水器本体に電解槽を内蔵しなければならないが、この場合、水栓蛇口に直結する浄水器としては大きなサイズとなり、使い勝手の悪いものとなってしまう課題があった。
【０００５】
本発明は上記課題を解決するためになされたものであり、その目的は、水栓蛇口に直結するコンパクトで使い勝手のよい水処理装置を提供することである。
【課題を解決するための手段】
【０００６】
本発明は、水処理装置であって、水栓蛇口に直結される接続口と、前記接続口より供給された原水を吐水する原水出口と、前記接続口より供給された原水をろ過するろ過部と、前記ろ過部でろ過された浄水を管を通じて別体機器に供給するための第１の管接続部と、前記原水出口、または前記第１の管接続部に内部水路を切り換える水路切り換え機構とを備えることを特徴とする。
【０００７】
また、本発明において、前記ろ過部でろ過された浄水を吐水する浄水出口を備え、前記水路切り換え機構は、前記原水出口、前記浄水出口、または前記第１の管接続部に内部水路を切り換えてもよい。
【０００８】
また、本発明において、前記別体機器で水処理された水を管を通じて流入させるための第２の管接続部と、前記第２の管接続部より供給された処理水を吐水する処理水出口とを備えてもよい。
【０００９】
また、本発明において、前記別体機器は、電解水を生成する電解水整水器であってもよい。
【００１０】
また、本発明において、前記電解水整水器は、抗菌手段を搭載した電解槽を内蔵していてもよい。
【００１１】
また、本発明において、前記浄水出口と前記第１の管接続部のうち使用しない方にキャップを取り付けられる構造を備えてもよい。
【００１２】
また、本発明において、前記浄水出口の向きが略鉛直方向から略水平方向まで回転する回転機構を備え、前記浄水出口が略水平方向に向いた状態では前記第１の管接続部として機能してもよい。
【００１３】
また、本発明において、前記別体機器を制御する制御装置が前記水処理装置の本体に内蔵されていてもよい。
【００１４】
また、本発明において、前記別体機器を制御する制御装置が外付けで前記水処理装置の本体に取り付けられていてもよい。
【００１５】
また、本発明において、前記別体機器を制御する制御装置が外付けで前記第１の管接続部に取り付けられていてもよい。
【発明の効果】
【００１６】
本発明によれば、ろ過以外の水処理を別体機器で行うことができるので、水栓蛇口に直結するコンパクトで使い勝手のよい水処理装置を提供することが可能となる。
【図面の簡単な説明】
【００１７】
【図１】図１は、第１実施形態における水処理装置の構成図である。
【図２】図２は、第２実施形態における水処理装置の構成図である。
【図３】図３は、第３実施形態における水処理装置の構成図である。
【図４】図４は、第４実施形態における水処理装置の構成図である。
【図５】図５は、第５実施形態における水処理装置の構成図である。
【図６】図６は、第６実施形態における水処理装置の構成図である。
【図７】図７は、第７実施形態における水処理装置の構成図であって、（Ａ）は浄水出口を鉛直下方に向けた状態を示す図、（Ｂ）は浄水出口を後方水平方向に向けた状態を示す図である。
【図８】図８は、第８実施形態における水処理装置の構成図である。
【図９】図９は、第９実施形態における水処理装置の構成図である。
【図１０】図１０は、第１０実施形態における水処理装置の構成図である。
【発明を実施するための形態】
【００１８】
以下、本発明の実施形態について図面を参照して詳細に説明する。
【００１９】
（第１実施形態）
図１は、第１実施形態における水処理装置２の構成図である。この水処理装置２は、水栓蛇口１から供給される水道水等の原水に水処理を施して清浄な処理水を得るための装置である。ここでは、水処理装置２が流し台で使用される場面を想定して説明する。
【００２０】
図１に示すように、水処理装置２の本体２０には、水栓蛇口１に直結される接続口２１が設けられている。接続口２１より供給された原水は、原水出口２２から吐水されるか、または原水をろ過するろ過部（図示せず）に流入される。ろ過部は、具体的には、プレフィルタや膜濾過カートリッジ等である。ろ過部でろ過された浄水は、第１の管接続部２３からホース等の管３１に供給され、管３１を通じて別体機器４に供給される。別体機器４は、水処理装置２とは別の機器であって、流し台の上に設置されているものとする。別体機器４に供給された水は、別体機器４で水処理を施された後、吐水口４１から流れ出るようになっている。
【００２１】
使用者は、水路切り換え機構２４を操作することによって、原水出口２２、または第１の管接続部２３（ろ過部）に内部水路を切り換えることができる。このような水路の切り換えは、例えば、内部水路を開閉する弁構造で実現される。
【００２２】
以上のように、本実施形態によれば、ろ過以外の水処理を別体機器４で行うことができるので、水栓蛇口１に直結される水処理装置２の本体２０にはろ過部だけを備えればよい。すなわち、水栓蛇口１に直結するコンパクトで使い勝手のよい水処理装置２を提供することが可能となる。
【００２３】
（第２実施形態）
以下、第２実施形態を第１実施形態と異なる点のみ説明する。
【００２４】
図２は、第２実施形態における水処理装置２の構成図である。この水処理装置２の本体２０には、図２に示すように、ろ過部でろ過された浄水を吐水する浄水出口２５が設けられている。水路切り換え機構２４は、原水出口２２、浄水出口２５、または第１の管接続部２３に内部水路を切り換えることができるようになっている。
【００２５】
以上のように、本実施形態における水処理装置２では、ろ過部でろ過された浄水を吐水する浄水出口２５を備えている。浄水出口２５は、水栓蛇口１の下に設けられているので、流し台の範囲内である。そのため、浄水を手元の浄水出口２５から利用することができるので便利である。
【００２６】
（第３実施形態）
以下、第３実施形態を第１または第２実施形態と異なる点のみ説明する。
【００２７】
図３は、第３実施形態における水処理装置２の構成図である。この図に示すように、本実施形態では、別体機器４で水処理された水がホース等の管３２を通じて再び水処理装置２に流入する構造となっている。すなわち、水処理装置２の本体２０には、別体機器４で水処理された水を管３２を通じて流入させるための第２の管接続部２７が設けられている。第２の管接続部２７より供給された処理水は、本体２０に設けられた処理水出口２６から流れ出る。水路切り換え機構２４は、原水出口２２、処理水出口２６、または第１の管接続部２３に内部水路を切り換えることができるようになっている。
【００２８】
以上のように、本実施形態における水処理装置２では、別体機器４で水処理された水を管３２を通じて再び水処理装置２に流入させ、水処理装置２の本体２０に設けた処理水出口２６から吐水するようにしている。処理水出口２６は、水栓蛇口１の下に設けられているので、流し台の範囲内である。そのため、浄水だけでなく全ての処理水を手元の処理水出口２６から利用することができるので便利である。
【００２９】
（第４実施形態）
以下、第４実施形態を第１から第３実施形態と異なる点のみ説明する。
【００３０】
図４は、第４実施形態における水処理装置２の構成図である。本実施形態における別体機器４は、電解水を生成する電解水整水器であり、図示しない電解槽を備えている。電解槽は、陰極室と陽極室とに２分されている。陰極室にはアルカリイオン水が、陽極室には酸性水がそれぞれ電解水として生成される。陰極室で生成されたアルカリイオン水は吐水口４１から、陽極室で生成された酸性水は排水水路４２から流れ出るようになっている。このような別体機器４は、操作ボタンやタイマーなど、公知の各種機能を備えていてもよいのはもちろんである。
【００３１】
以上のように、本実施形態では、別体機器４が電解水整水器である。アルカリ水を使用する際に生成される酸性水は、別体機器４側に設けられた排水水路４２より排出されるので、水栓蛇口１に直結された本体２０に排水水路は不要であり、使い勝手がよい。
【００３２】
（第５実施形態）
以下、第５実施形態を第１から第４実施形態と異なる点のみ説明する。
【００３３】
図５は、第５実施形態における水処理装置２の構成図である。本実施形態でも、別体機器４は電解水整水器であることを前提としている。吐水口４１から電解槽４３までは連通した構造になっているため、吐水口４１から侵入した細菌は電解槽４３内部でも増殖する。そこで、本実施形態における別体機器４は、抗菌手段を搭載した電解槽４３を内蔵している。抗菌手段は、細菌の増殖を抑制することができる一般的なものでよく、特に限定されるものではない。
【００３４】
以上のように、本実施形態では、別体機器４が抗菌手段を搭載した電解槽を内蔵している。そのため、吐水口４１から侵入した細菌の増殖を抑制することができる。
【００３５】
（第６実施形態）
以下、第６実施形態を第１から第５実施形態と異なる点のみ説明する。
【００３６】
図６は、第６実施形態における水処理装置２の構成図である。本実施形態では、浄水出口２５と第１の管接続部２３のうち使用しない方にキャップ２５ａを取り付けられる構造となっている。すなわち、浄水出口２５と第１の管接続部２３は連通しているため、別体機器４に接続する場合は、浄水出口２５をキャップ２５ａで閉塞する。逆に、別体機器４に接続しない場合は、第１の管接続部２３をキャップで閉塞する。
【００３７】
以上のように、本実施形態では、浄水出口２５と第１の管接続部２３のうち使用しない方にキャップ２５ａを取り付けられる構造となっている。そのため、内部の弁構造で出口を選択する必要がなく、構造が簡略化されるので、安価に商品を提供することが可能となる。
【００３８】
（第７実施形態）
以下、第７実施形態を第１から第６実施形態と異なる点のみ説明する。
【００３９】
図７は、第７実施形態における水処理装置２の構成図である。この水処理装置２は、浄水出口２５の向きが略鉛直方向から略水平方向まで回転する回転機構２８を備えている。そのため、使用用途に応じて浄水出口２５の向きを変更することができる。具体的には、図７（Ａ）に示すように、別体機器４に接続しない場合は、浄水出口２５を鉛直下方に向けて使用する。これにより、ろ過部でろ過された浄水が浄水出口２５から流れ出ることになる。一方、図７（Ｂ）に示すように、別体機器４に接続する場合は、浄水出口２５を後方水平方向に向け、浄水出口２５に管３１を接続する。これにより、浄水出口２５を第１の管接続部２３として機能させることができる。
【００４０】
以上のように、本実施形態では、別体機器４に接続しないか接続するかによって浄水出口２５の向きを略鉛直方向から略水平方向まで回転することができる。そのため、使用しない出口を閉塞する構造物が必要ないので、構造が簡略化され、清掃が容易になる等の効果がある。
【００４１】
（第８実施形態）
以下、第８実施形態を第１から第７実施形態と異なる点のみ説明する。
【００４２】
図８は、第８実施形態における水処理装置２の構成図である。この図に示すように、水処理装置２の本体２０には、別体機器４を制御する制御装置２９ａが内蔵されている。制御装置２９ａは、ＣＰＵ、プログラムＲＯＭ、作業用ＲＡＭ、入出力インタフェース等を備えている。制御装置２９ａの主要な制御は、ＣＰＵがプログラムＲＯＭに格納されたプログラムを実行することにより実現される。
【００４３】
使用者は、制御装置２９ａを操作することで別体機器４を電気的に制御する。例えば、「電解水モード」や「浄水モード」などの使用モードを選択することができる。その制御信号は信号ケーブル３３を通じて制御装置２９ａから別体機器４に送信されるようになっている。制御装置２９ａから無線信号を発信し、その無線信号を別体機器４で受信するようにしてもよい。
【００４４】
以上のように、本実施形態では、別体機器４を制御する制御装置２９ａが水処理装置２の本体２０に内蔵されている。そのため、手元の操作で別体機器４を制御することが可能である。
【００４５】
（第９実施形態）
以下、第９実施形態を第１から第８実施形態と異なる点のみ説明する。
【００４６】
図９は、第９実施形態における水処理装置２の構成図である。この図に示すように、水処理装置２の本体２０には、別体機器４を制御する制御装置２９ｂが外付けで取り付けられている。その制御信号は、第８実施形態と同様、有線の信号ケーブル３３または無線信号で制御装置２９ｂから別体機器４に送信されるようになっている。
【００４７】
以上のように、本実施形態では、別体機器４を制御する制御装置２９ｂが水処理装置２の本体２０に外付けで取り付けられている。これにより、別体機器４が必要でない場合は、水処理装置２の本体２０に制御装置が内蔵されていないので、安価に商品を提供することが可能である。
【００４８】
（第１０実施形態）
以下、第１０実施形態を第１から第９実施形態と異なる点のみ説明する。
【００４９】
図１０は、第１０実施形態における水処理装置２の構成図である。この図に示すように、水処理装置２の第１の管接続部２３には、別体機器４を制御する制御装置２９ｃが外付けで取り付けられている。その制御信号は、第８実施形態や第９実施形態と同様、有線の信号ケーブル３３または無線信号で制御装置２９ｃから別体機器４に送信されるようになっている。
【００５０】
以上のように、本実施形態では、別体機器４を制御する制御装置２９ｃが水処理装置２の第１の管接続部２３に外付けで取り付けられている。これにより、別体機器４が必要でない場合は、水処理装置２の本体２０に制御装置が内蔵されていないので、安価に商品を提供することが可能である。また、第１の管接続部２３に管３１を接続すると同時に第１の管接続部２３に制御装置２９ｃを取り付けることができ、取り付け作業を簡略化することが可能である。
【００５１】
なお、以上では好適な実施形態について説明したが、本発明は前記実施形態に限定されず、種々の変形が可能である。例えば、図面では水処理装置２の本体２０を円形に描いているが、本体２０の形状や寸法等は適宜変更することが可能である。
【００５２】
また、前記の説明では特に言及しなかったが、別体機器４に接続する管３１等の内部が抗菌処理されていてもよい。このようにすれば、別体機器４を使用しない期間があっても、管３１等の内部の細菌が増殖することがなく、衛生的に使用することができる。
【符号の説明】
【００５３】
１  水栓蛇口
２  水処理装置
２０  本体
２１  接続口
２２  原水出口
２３  第１の管接続部
２４  水路切り換え機構
２５  浄水出口
２５ａ  キャップ
２６  処理水出口
２７  第２の管接続部
２８  回転機構
２９ａ、２９ｂ、２９ｃ  制御装置
３１  管
３２  管
４  別体機器
４３  電解槽
【図１】
2013063401.tif 000003
【図２】
2013063401.tif 000004
【図３】
2013063401.tif 000005
【図４】
2013063401.tif 000006
【図５】
2013063401.tif 000007
【図６】
2013063401.tif 000008
【図７】
2013063401.tif 000009
【図８】
2013063401.tif 000010
【図９】
2013063401.tif 000011
【図１０】
2013063401.tif 000012